(57)【要約】【課題】モニタ表示部が誤って破損することが少ない表示器を提供する。【解決手段】数値表示部が設けられた数値表示面３６とこの数値表示面３６の周縁に交差する外壁面がカバー３４及びケース本体２１に形成され、この外壁面に表示器の動作状態を確認するモニタ表示部９を設ける。モニタ表示部９は、その外周面が外壁面と同一面上に形成されている。落下物があってもモニタ表示部９に衝突することがなく、モニタ表示部９の破損を防止することができる。【選択図】  図１
2010096599.tif 000002
【特許請求の範囲】
【請求項１】
数値表示部が設けられた数値表示面とこの数値表示面の周縁に交差する外壁面とがハウジングに形成された表示器であって、
前記外壁面に表示器の動作状態を確認するモニタ表示部が設けられ、このモニタ表示部は、その外周面が前記外壁面と同一面上あるいは前記外壁面よりハウジング内部側に後退して形成されていることを特徴とする表示器。
【請求項２】
請求項１に記載された表示器において、
前記外壁面は、互いに連続する複数の平面から形成され、これらの複数の平面のうち少なくとも一つの平面に前記モニタ表示部が設けられていることを特徴とする表示器。
【請求項３】
請求項２に記載された表示器において、
前記モニタ表示部は前記複数の平面のうち隣り合う２以上の平面に連続して設けられていることを特徴とする表示器。
【請求項４】
請求項１から３のいずれかに記載された表示器において、
前記モニタ表示部はＬＥＤを光源とし、前記ＬＥＤを点灯または点滅動作させることを特徴とする表示器。
【請求項５】
請求項４に記載された表示器において、
前記モニタ表示部を駆動する回路と前記数値表示部を駆動する回路とが同一のプリント基板に実装されていることを特徴とする表示器。
【請求項６】
請求項３から５のいずれかに記載された表示器において、
前記ハウジングは前記外壁面と交差する方向で分割される第１ハウジングと第２ハウジングとを備え、前記第１ハウジングと前記第２ハウジングとの間に前記モニタ表示部が挟持されたことを特徴とする表示器。
【請求項７】
請求項１から６のいずれかに記載された表示器において、
前記数値表示部の表示を消灯させるとともに前記モニタ表示部のみ動作させる制御部を有することを特徴とする表示器。
【請求項８】
請求項１に記載された表示器において、
前記外壁面は、曲面とされ、この曲面の少なくとも一部の領域において周方向に沿って前記モニタ表示部が設けられていることを特徴とする表示器。
【発明の詳細な説明】
【技術分野】
【０００１】
本発明は、数値表示部が設けられた数値表示面と外壁面とを有する表示器に関する。
【背景技術】
【０００２】
圧力表示器、その他の表示器には、測定値を数値で表示する数値表示部が設けられている。この数値表示部は、検出される測定値がデジタル表示されるものであり、このデジタル表示から測定値が許容範囲であるか、あるいは、危険範囲にあるかを読み取る。
数値表示部は、通常、表示器の正面に設けられているので、この数値表示部で表示される測定値は正面からのみ見ることができるものであって、側面や背面からは測定値を読み取ることができない。しかし、この構造の表示器では、測定値が危険範囲にあるか否かをデジタル表示で読み取らなければならず、しかも、表示部は表示器の正面にのみ設けられているので、表示器の側面や背面に作業員がいる場合には、測定値が危険領域にあることを視認することができず、不都合がある。
【０００３】
このような不都合を回避するために、従来、筐体の正面にデジタルで表示する表示部を設けるとともに、筐体の上面に、予め定めた値から検出値が外れた場合に点灯して警報を発する警報用の表示部が設けられた従来例がある（特許文献１）。
この従来例では、警報用の表示部はデジタル表示部を視認できない方向からも視認可能にするために筐体の上面から突出して設けられている。
【０００４】
【特許文献１】特開２００２−４８６６６公報（図５）
【発明の開示】
【発明が解決しようとする課題】
【０００５】
特許文献１で示される従来例は、視認性を良くするために、筐体の上面に略半球状に警報用の表示部を形成している。
しかし、筐体から警報用の表示部を突出させた構造では、誤って落下物が表示部に衝突することで、表示部が破損するおそれがある。
【０００６】
本発明の目的は、モニタ表示部が誤って破損することが少ない表示器を提供することにある。
【課題を解決するための手段】
【０００７】
本発明の表示器は、数値表示部が設けられた数値表示面とこの数値表示面の周縁に交差する外壁面とがハウジングに形成された表示器であって、前記外壁面に表示器の動作状態を確認するモニタ表示部が設けられ、このモニタ表示部は、その外周面が前記外壁面と同一面上あるいは前記外壁面よりハウジング内部側に後退して形成されていることを特徴とする。
【０００８】
このような構成の発明によれば、数値表示面と交差する外壁面にモニタ表示部が設けられているので、数値表示部を視認できない範囲でも、モニタ表示部で表示器の動作状態、例えば、表示値が危険領域にあることを視認することができる。そして、モニタ表示部を所定の色の表示、例えば、赤の表示とすれば、モニタ表示部で危険状態が表示されていることが直ちに理解できる。
しかも、モニタ表示部は、その外周面が外壁面と面一あるいは後退してハウジングに設けられているので、落下物があってもモニタ表示部に衝突することがなく、モニタ表示部が破損することが少ない。
【０００９】
本発明では、前記外壁面は、互いに連続する複数の平面から形成され、これらの複数の平面のうち少なくとも一つの平面に前記モニタ表示部が設けられている構成が好ましい。
この構成の発明では、表示器のハウジングが多角形の輪郭とされており、外壁を構成する少なくとも１つの平面にモニタ表示部を設けるので、当該平面からモニタ表示部を十分に視認することができる。モニタ表示部が設けられる平面を通路側に面して表示器を配置しておけば、巡回等で通路を通過する作業員は、数値表示部を見ることができなくても、モニタ表示部を十分に視認することができるので、異常状態を直ぐに発見することができる。
【００１０】
前記モニタ表示部は前記複数の平面のうち隣り合う２以上の平面に連続して設けられている構成が好ましい。
この構成の発明では、異なる２方向からモニタ表示部を見ることができるので、モニタ表示部の視認性が向上する。
【００１１】
前記モニタ表示部はＬＥＤ（発光ダイオード）を光源とし、前記ＬＥＤを点灯または点滅動作させる構成が好ましい。
この構成の発明では、ＬＥＤは消費電力が少なく長寿命であるので、表示器を低コストで製造することができる。しかも、ＬＥＤを用いれば、複数の色の組み合わせが容易となるので、種々の色の表示が可能となる。そして、ＬＥＤを点灯、点滅させることにより、視認性をより向上させることができる。
【００１２】
前記モニタ表示部を駆動する回路と前記数値表示部を駆動する回路とが同一のプリント基板に実装されている構成が好ましい。
この構成の発明では、モニタ表示部と数値表示部とを個別に配線する必要がないので、表示器の小型化が達成できるだけでなく、表示器を製造する作業が容易となる。
【００１３】
前記ハウジングは前記外壁面と交差する方向で分割される第１ハウジングと第２ハウジングとを備え、前記第１ハウジングと前記第２ハウジングとの間に前記モニタ表示部が挟持された構成が好ましい。
この構成の発明では、モニタ表示部が２つのハウジングで挟持される構造となっているので、モニタ表示部の両側がハウジングで保護されることになり、モニタ表示部の破損がより少なくなる。
【００１４】
前記数値表示部の表示を消灯させるとともに前記モニタ表示部のみ動作させる制御部を有する構成が好ましい。
この構成の発明では、数値表示部の表示のみを消灯することで省電力化を達成することができる。例えば、数値表示部がＬＥＤで構成される場合、消灯させることで省電力となる。数値表示部の表示が消灯されていても、モニタ表示部が表示されているので、測定値の異常等はモニタ表示部で確認することができる。数値表示部がＬＣＤとＬＥＤのバックライトとの組み合わせの場合も、ＬＥＤのバックライトを消灯することで低消費電力化することができ、ＬＣＤだけの場合でも、表示寿命をもつＬＣＤの動作を休止することで製品自体の長寿命化を図ることができる。
数値表示部とモニタ表示部との双方を表示設定するか、数値表示部を消灯しモニタ表示部を表示する設定とするかは選択モードで設定する。
【００１５】
前記外壁面は、曲面とされ、この曲面の少なくとも一部の領域において周方向に沿って前記モニタ表示部が設けられている構成が好ましい。
この構成の発明では、モニタ表示部は継ぎ目なく連続している曲面に設けられるので、モニタ表示部の視認性が向上する。
【発明を実施するための最良の形態】
【００１６】
以下、本発明の第１実施形態を図面に基づいて説明する。
図１は、第1実施形態にかかる表示器の全体構成を示す斜視図であり、図２は表示器の正面図であり、図３は表示器の斜め後方からみた斜視図であり、図４は表示器の断面図であり、図５は表示器の分解斜視図である。
図１から図５において、表示器は、ゲージ圧測定用表示器であり、ホルダ１と、このホルダ１の上に接合されるケース２と、このケース２の上側一端開口側に設けられた表示部３と、この表示部３とケース２との間に設けられた表示器の動作状態を確認するためのモニタ表示部９とを備えた構成である。
ホルダ１の下側一端部には接続部である継手４が取り付けられている。
【００１７】
継手４は被取付部としての配管Ｐに螺合する配管側ねじ部４Ａと、この配管側ねじ部４Ａに接続されるフランジ部４Ｂと、このフランジ部４Ｂに接続されるホルダ側ねじ部４Ｃとを備え、その軸心に沿って圧力導入孔４Ｄが形成されている。継手４はステンレス六角棒を切削加工した部品である。
継手４のホルダ側ねじ部４Ｃの端部には圧力センサ５が設けられている。この圧力センサ５は、有底円筒状のステンレス部材である。圧力センサ５の開口端はホルダ側ねじ部４Ｃの端部と溶接で接合されている。圧力センサ５の内部空間は圧力導入孔４Ｄに連通された圧力導入凹部５Ａとされている。この圧力導入凹部５Ａと反対側の平面部には歪みゲージ等の圧力検出素子が形成され、この圧力検出部に一端が接続されたコード５Ｂは回路基板６に他端が接続されている。
【００１８】
ホルダ１は、ホルダ側ねじ部４Ｃに螺合される雌ねじ部１１と、この雌ねじ部１１に接合されたホルダ本体１２とを備えている。
このホルダ本体１２はアルミダイカストの鋳造部品であり、角筒部１２Ａと、この角筒部１２Ａの内部に角筒部１２Ａの軸心と直交する方向に設けられた板部１２Ｂと、この板部１２Ｂに立設された突起部１２Ｃとを備えている。
雌ねじ部１１の内周開口端部と、継手４のフランジ部４Ｂとホルダ側ねじ部４Ｃとの交差部に形成された凹部との間にはＯリング７１が設けられている。
【００１９】
角筒部１２Ａは、その外周角部が面取りされて緩やかな曲面とされる。
そして、角筒部１２Ａのケース２側に形成された接合面１２Ｄは角筒部１２Ａの軸方向（図中上下方向）とこの軸方向と直交する垂直方向との間の角度、つまり、角筒部１２Ａの軸方向と直交する平面に対して角度αが４５°で交差する平面Ｌで切り欠かれている。本実施形態では、角筒部１２Ａの正面側の立ち上がり寸法が小さく背面側の立ち上がり寸法が大きく形成され、両側面部が４５°に切り欠かれて形成されている。
板部１２Ｂは、その中心部に孔が形成され、この孔に圧力センサ５の圧力検出素子と接続されるコード５Ｂが挿通される。
突起部１２Ｃは角筒部１２Ａの互いに対向する２つの内壁の中心部分にそれぞれ一体形成されている。これらの突起部１２Ｃは、互いに対向する面の中央部分が凹んで形成されており、この凹んだ部分より先端側の角柱部分１２Ｅは接合面１２Ｄより上方に突出している。
この角柱部分１２Ｅの互いに直交する２方向、つまり、角筒部１２Ａの軸心に沿った上下方向とこの方向と直交する左右方向には雌型連結部８Ａ，８Ｂが形成されている。これの雌型連結部８Ａ，８Ｂはそれぞれ雌ねじ部であり、その中心部分が互いに連通されている。
【００２０】
本実施形態では、検出する圧力が低圧（２ＭＰａ以下の圧力）である場合には、角筒部１２Ａの背面側に大気開放孔１２Ｆが形成され、この大気開放孔１２Ｆにはベント７２が設けられている。
このベント７２は外気との通気を許容するとともに水やゴミの透過を阻止する多孔質材料から形成されている。
検出する圧力が高圧（２ＭＰａを超える圧力）である場合には、大気開放孔１２Ｆやベント７２は不要とされる。
【００２１】
ケース２は、ケース本体２１と、このケース本体２１の正面に設けられた円筒部２２とを備え、この円筒部２２は、その外周面にねじが形成され、その内周部にコネクタ２３が嵌合されている。このコネクタ２３は外部からの電源供給や外部へ出力信号を伝達するためのものであり、その外周部と円筒部２２との間にはＯリング７１が設けられている。
ケース本体２１は、アルミダイカストの鋳造部品であり、ホルダ１に接合される角筒部２１Ａと、この角筒部２１Ａに一体形成された表示部取付部２１Ｂと、角筒部２１Ａの内周に一体形成された被挿通部２１Ｃとを備えている。
【００２２】
角筒部２１Ａはその外周角部が面取りされて緩やかな曲面とされている。角筒部２１Ａのホルダ１側に形成された接合面２１Ｅは角筒部２１Ａの軸方向と直交する平面に対して角度αが４５°となるように交差する平面Ｌ内で切り欠かれている。図１から図５の状態では、ホルダ１の角筒部１２Ａとケース２の角筒部２１Ａとは軸心が一致しており、かつ、その外周面が段差なく連続して形成される。つまり、ホルダ１とケース２との他端側同士が接合された状態では略角筒状体が形成される。
ケース２の角筒部２１Ａは、後述するようにホルダ１の角筒部１２Ａに対して着脱自在に取り付けられており、平面Ｌ内で取付姿勢を９０°変えることで、表示部３の姿勢が変更される（図１及び図８参照）。
【００２３】
角筒部２１Ａの接合面２１Ｅ側にはガスケット７３を嵌合するための凹部が開口部に沿って形成されている。このガスケット７３は弾性を有するゴム部材であり、ホルダ１とケース２との接触面をシールすることを目的として設けられている。
表示部取付部２１Ｂは、その背面側が角筒部２１Ａの背面から突出して形成されている。表示部取付部２１Ｂは、その開口面が角筒部２１Ａの軸心に対して角度αだけ傾いて形成されている。
被挿通部２１Ｃは角筒部２１Ａの互いに対向する２つの内壁の中心部分にそれぞれ一体形成されており、その中心部にはボルト挿通孔２１Ｄが形成されている。
被挿通部２１Ｃは角筒部２１Ａの内壁から軸心に向けて突出した突起状部材であり、その下面がホルダ１の突起部１２Ｃに形成された角柱部分１２Ｅの正面又は上面に当接可能である。角柱部分１２Ｅの正面又は上面に被挿通部２１Ｃが当接された状態では、角柱部分１２Ｅに形成された雌型連結部８Ａ，８Ｂにボルト挿通孔２１Ｄが対応する。この状態で、ボルトからなる雄型連結部８がボルト挿通孔２１Ｄを挿通して雌型連結部８Ａ又は雌型連結部８Ｂに連結される。
【００２４】
表示部３は、ケース２の表示部取付部２１Ｂに嵌合される略皿状のインケース３１と、このインケース３１の下側凹部に設けられる表示回路基板３２と、この表示回路基板３２を挟んでインケース３１の平面部とは反対側に配置された導光板３３と、インケース３１の上面側に設けられるカバー３４と、表示回路基板３２とインケース３１の平面部との間に設けられた遮蔽板３５とを備えている。インケース３１、導光板３３及び遮蔽板３５はともに合成樹脂の成形部品である。
インケース３１及びカバー３４はケース２の表示部取付部２１Ｂにねじ７４で取り付けられており、かつ、インケース３１の端縁部と表示部取付部２１Ｂとの間にはガスケット７５が設けられている。
図６に示される通り、表示回路基板３２は、ＣＰＵと表示プログラムを記憶したメモリとが実装されたプリント基板３２１と、この基板３２１にそれぞれ設けられた数値表示部３２２及びキー操作用スイッチ３２３とを備えている。プリント基板３２１はモニタ表示部９を駆動する回路と数値表示部３２２を駆動する回路とが実装されている。プリント基板３２１は表示部取付部２１Ｂの底部に設けられた基板支持部２１１（図３参照）に支持されている。
【００２５】
数値表示部３２２は、複数桁の数字部３２２Ａ及び隣り合う数字部３２２Ａの間の上下にそれぞれ配置される小数点部３２２Ｂ，３２２Ｃを備えるものであり、ＣＰＵからの信号を受けて所定箇所を発光表示させる。本実施形態では、数値表示部３２２の上下が反転しても適正な表示ができるようにプログラムがされており、この場合、小数点部３２２Ｂ，３２２Ｃは双方表示される。
遮蔽板３５は数値表示部３２２の上に上下方向（天地方向）変換可能かつ着脱自在に設けられている。
遮蔽板３５は数字部３２２Ａと下方の小数点部３２２Ｃとの発光を透過させるための透光部３５Ａが形成され、それ以外は上方の小数点部３２２Ｂを含む平面矩形領域を遮蔽する遮蔽部３５Ｂが形成されている。本実施形態では、遮蔽板３５は種々の方法で製作することができるが、例えば、ガラス板を、チップＬＥＤの一つひとつに対する開口を筒型状に仕切り、他のチップＬＥＤから発光される光との干渉を防止する構成を採用できる。
【００２６】
図１から図５において、カバー３４にはキー操作用スイッチ３２３を操作するためのキートップ３４１が出没自在に設けられている。
キートップ３４１は弾性を有するゴム部材であり、表示回路基板３２の方向に対し３つ（図４では１つのみ示す）の軸３４１Ａを有する。これらの軸３４１Ａはそれぞれ軸方向の力に対して変位が可能な形状である。
インケース３１にはカバー３４との貼り合わせのための耐水両面テープ（図示せず）が貼り付けられている。キー操作用スイッチ３２３はそれぞれ「モードキー」「ダウンキー」「アップキー」があり、現場にてモードの切り替えや設定値の変更を行うために使用される。
カバー３４には数値表示面としてのパネルシート３６が貼付されている。このパネルシート３６の表面にはキー操作用スイッチ３２３を操作できる表示領域３６１や「ＯＵＴ１」「ＯＵＴ２」［ＳＥＴ］等の文字情報の表示領域３６２が設けられている。そして、パネルシート３６には数値表示部３２２を遮蔽板３５を通して見るための窓部３６３が形成されている。
ここで、本実施形態では、数値表示部３２２の表示とモニタ表示部９の表示とは図示しない制御部で制御される。この制御部によって、数値表示部３２２の表示とモニタ表示部９の表示との行うモードや数値表示部３２２の表示を消灯するとともにモニタ表示部９を表示させるモードが設定される。数値表示部３２２の表示復帰はモニタ表示部９の異常表示に同期して自動復帰するものでもよく、あるいは、数値表示部３２２の復帰動作をカバー３４に設けられた３つのキー操作用スイッチ３２３のいずれかを操作するために表示領域３６１を押圧することで行ってもよい。スイッチ動作で復帰動作を行う場合、任意の一定時間、例えば、１０秒経過した場合、あるいは、スイッチ操作が一定時間、例えば、１分間なされなかった場合に、再度、消灯するものでもよい。
【００２７】
ここで、本実施形態では、カバー３４が第1ハウジングを構成し、ケース本体２１が第２ハウジングを構成する。カバー３４とケース本体２１とはその周面に互いに連続する４つの平面で外壁面を構成する。この外壁面とカバー３４とは略直交している。
モニタ表示部９は透光性を有するガラス、合成樹脂等から形成されており、カバー３４とケース本体２１との間に挟持されている。モニタ表示部９の外周縁は、ケース本体２１及びカバー３４の外壁面と略一致するようにされている。なお、本実施形態では、モニタ表示部の外周縁はケース本体２１及びカバー３４の外壁面から内部に後退して形成されるものでもよい。
モニタ表示部９は、ケース本体２１の背面側の外壁面に配置される背面部９１と、ケース本体２１の両側面側の外壁面に配置される側面部９２と、ケース本体２１の正面側の外壁面の一部に配置される正面部９３とから構成されている。
モニタ表示部９はチップＬＥＤ３２４を光源とする。チップＬＥＤ３２４はプリント基板３２１に設けられており（図７参照）、この基板３２１に対向配置された導光板３３を通ってチップＬＥＤ３２４から点灯又は点滅動作された光がモニタ表示部９で表示される。
【００２８】
ここで、モニタ表示部９で表示される情報は所定の警報情報、例えば、検出圧力が任意の圧力以上あるいは以下になったときに表示されるものであり、オープンコレクタ出力がＯＮする場合にチップＬＥＤ３２４が点灯又は点滅する。
モニタ表示部９のチップＬＥＤ３２４は一色（例えば、赤一色）でもよく、任意の２色（例えば、緑、赤の２色）でもよい。一色の場合、警報発生時に点灯（又は点滅）させるものでもよい。チップＬＥＤ３２４が緑、赤の２色発光であれば、通常は緑点灯、警報発生時に赤点灯とし、表示器の電源のＯＮ，ＯＦＦ状態が確認できる。
警報に複数の意味を持たせた場合、警報内容を区別するために、さらに、チップＬＥＤ３２４を多色化するかチップＬＥＤ３２４が単色であれば点灯、点滅で区別、また点滅速度での区別が可能となる。
【００２９】
回路基板６は電源とコンパレータ出力及びアナログ出力を取り扱うアナログ回路であり、表示回路基板３２とはフレキシブル基板６１で接続されている。
回路基板６はホルダ１のホルダ本体１２の内部に配置されている。
ホルダ本体１２の内部には一定量のモールド剤が注入されている。このモールド剤は回路基板６を固定し、発熱する電子部品の放熱、内容積を縮小するためである。なお、本実施形態では、モールド剤は必ずしも設けることを要しない。
【００３０】
本実施形態の表示器の組み立て方法について図８及び図９をも参照して説明する。
まず、継手４の配管Ｐへの取付位置が上部である場合には、図１から図７で示される構造の表示器を用いる。
この表示器では、ホルダ１とケース２とを互いの軸方向が一致するように重ねる。この状態では、ホルダ１に設けられた突起部１２Ｃの角柱部分１２Ｅの上面とケース２に設けられた被挿通部２１Ｃの下面とが重ね合わされ、角柱部分１２Ｅに上下に沿って形成された雌型連結部８Ａとボルト挿通孔２１Dとの軸心が一致する。そして、雄型連結部８をボルト挿通孔２１Ｄに挿通させて雌型連結部８Ａに螺合する。
その後、表示部３をケース２に装着する。そのため、インケース３１及びカバー３４をケース２の表示部取付部２１Ｂにねじ７４で取り付け、さらに、カバー３４にパネルシート３６を貼付する。なお、この場合では、表示回路基板３２の数値表示部３２２に遮蔽板３５を予め取り付けておくが、この遮蔽板３５は図６で示される通り、上の小数点部３２２Ｂを隠し、数字部３２２Ａと下方の小数点部３２２Ｃとが見えるようにする。
【００３１】
継手４の配管Ｐへの取付位置が水平部である場合には、図８で示される構造の表示器を用いる。
この表示器では、ホルダ１とケース２とを互いの軸方向が交差するように重ねる。この状態では、ホルダ１に設けられた突起部１２Ｃの角柱部分１２Ｅの正面とケース２に設けられた被挿通部２１Ｃとが重ね合わされ、角柱部分１２Ｅに水平に沿って形成された雌型連結部８Ｂとボルト挿通孔２１Dとの軸心が一致する。そして、雄型連結部８をボルト挿通孔２１Ｄに挿通させて雌型連結部８Ｂに螺合する。さらに、表示部３をケース２に装着する。
【００３２】
継手４の配管Ｐへの取付位置が上部である場合であっても、コネクタ２３の取付位置を上方にしたい場合には、図９で示される構造の表示器を用いる。
この表示器では、図８の表示器と同様に、ホルダ１とケース２とを互いの軸方向が交差するように重ねて表示部３をケース２に装着する。この場合では、表示部３の上下方向（天地方向）が図１から図７で示される表示器とは逆になる。
そのため、プログラム上で数値表示部３２２での表示が上下逆になるように設定しておき、表示回路基板３２の数値表示部３２２に遮蔽板３５を取り付けておく際に、遮蔽板３５は、下の小数点部３２２Ｃを隠し、数字部３２２Ａと上方の小数点部３２２Ｂとが見えるようにしておく。
【００３３】
従って、本実施形態では，次の作用効果を奏することができる。
（１）数値表示部３２２が設けられた数値表示面３６とこの数値表示面３６の周縁に交差する外壁面がカバー３４及びケース本体２１に形成され、この外壁面に表示器の動作状態を確認するモニタ表示部９が設けられているので、数値表示部３２２を視認できない範囲でも、モニタ表示部９で表示器の動作状態を視認することができる。しかも、モニタ表示部９は、その外周面が外壁面と同一面上あるいは内部側に後退して形成されているから、落下物があってもモニタ表示部９に衝突することがなく、モニタ表示部９の破損を防止することができる。
【００３４】
（２）カバー３４及びケース本体２１の外壁面は、互いに連続する４つの平面から形成され、これらの平面の全てにモニタ表示部９が設けられているから、モニタ表示部９を四方全ての方向から視認することができる。
【００３５】
（３）モニタ表示部９はＬＥＤを光源としているから、ＬＥＤの長寿命化に伴い表示器を低コストで製造することができる。しかも、複数の色の組み合わせにより、種々の色の表示が可能となる。
（４）ＬＥＤを点灯または点滅動作させる構成であるから、視認性をより向上させることができる。
【００３６】
（５）モニタ表示部９を駆動する回路と数値表示部３２２を駆動する回路とがプリント基板３２１に実装されているので、これらの表示部を個別に配線する必要がなくなり、表示器を小型化でき、その上、表示器を製造する作業が容易となる。
【００３７】
（６）モニタ表示部９はカバー３４とケース本体２１との間に挟持される構造であるため、モニタ表示部９の両側がカバー３４とケース本体２１とで保護されることになるので、例えば、カバー３４に落下物が衝突しても、モニタ表示部９自体の破損を防止することができる。
【００３８】
（７）ケース本体２１には継手４とコネクタ２３とが設けられているので、数値表示部３２２とモニタ表示部９とを駆動するために必要な電力はコネクタを通じて供給されるので、別途、電池を表示器の内部に収納する必要がない。
【００３９】
（８）数値表示部３２２を消灯させるとともにモニタ表示部９のみ動作させる制御部を有するから、数値表示部の表示のみを消灯することで省電力化を達成することができる。数値表示部３２２の表示が消灯されていても、モニタ表示部９が表示されているので、圧力値の異常はモニタ表示部９で確認することができる。
（９）配管Ｐに取り付ける継手４が一端側に設けられるホルダ１と、表示部３を一端側に取り付けるケース２との他端側同士を接合し、ホルダ１とケース２との接合面が筒状体の軸方向とこの軸方向と直交する垂直方向との間の角度をもって切り欠かれ、ホルダ１とケース２とが筒状体の軸方向に沿った姿勢と軸方向と交差する方向に沿った姿勢とで連結可能とされている。そのため、継手４の配管Ｐへの取付位置が上部でも水平部でも、ホルダ１のケース２への接合姿勢を９０°変更することで、表示部３を見る姿勢を変えなくてすむ。その上、ホルダ１やケース２に無駄な取付部を設けることがないので、取付部を塞ぐプラグ等が不要とされ、低コストで表示器を製造することができる。しかも、ケース２とホルダ１とを接合するために突出部を設けることを要しないので、表示器の小型化を達成することができる。
【００４０】
次に、本発明の第２実施形態を図１０及び図１１に基づいて説明する。第２実施形態はハウジングの形状とモニタ表示部の構成とが第１実施形態とは異なるもので、他の構成は第１実施形態と同じである。ここで、第２実施形態の説明において、第１実施形態と同一構成要素は同一符号を付して説明を省略する。
図１０は第２実施形態にかかる表示器の斜視図である。
図１０において、表示器はそれぞれ円筒状の第１ハウジング１０１と第２ハウジング１０２とを備え、第２ハウジング１０２の下端部には取付部材１０３が接続されている。
第１ハウジング１０１と第２ハウジング１０２とは外形寸法が同じである。
【００４１】
第１ハウジング１０１の外壁面と直交する上端面は数値表示面１０４とされ、この数値表示面１０４には数値表示部３２２が設けられている。この外壁面にはモニタ表示部９Ａが設けられ、このモニタ表示部９Ａは、その外周面が外壁面と同一面上とされる。なお、本実施形態においても、モニタ表示部９Ａの外周面は内部側に後退して形成されていてもよい。
モニタ表示部９Ａは第１ハウジング１０１と第２ハウジング１０２との間に挟持されており、これらのハウジング１０１，１０２の周方向に沿って略リング状に設けられている。
第２実施形態では、第１実施形態と同様に、モニタ表示部９Ａを駆動する回路、数値表示部３２２を駆動する回路、及びチップＬＥＤ３２４がプリント基板３２１に実装されるが、このプリント基板３２１はハウジング１０１，１０２の外形形状に合わせて円板状に形成されている（図１１参照）。
また、ハウジング１０１，１０２の内部には第１実施形態と同様に圧力を検出するための構造、モニタ表示部９Ａを駆動させる機構及び数値表示部３２２を駆動させる機構が設けられている。
【００４２】
従って、第２実施形態では、第１実施形態の（１）（３）〜（６）（８）の効果と同様の効果を奏することができる他、次の効果を奏することができる。
（１０）第１ハウジング１０１と第２ハウジング１０２とは円筒状とされ、これらのハウジング１０１，１０２の曲面状外壁面の周方向全部に沿ってモニタ表示部９Ａが設けられているから、どの方向からもモニタ表示部９Ａを見ることができるから、モニタ表示部９Ａの視認性が向上する。
【００４３】
なお、本発明は前述の実施形態に限定されるものではなく、本発明の目的を達成できる範囲での変形、改良等は本発明に含まれるものである。
例えば、前記各実施形態では、モニタ表示部９，９Ａの光源をＬＥＤとしたが、本発明では、ＬＥＤ以外、例えば、電球等でもよい。仮に、ＬＥＤを用いたとしても、前記各実施形態のようにチップタイプのものである必要はなく、ディップタイプのものでもよい。
そして、ＬＥＤ，その他の光源の点灯等とともに警報音を発する構成でもよい。
ハウジングは第１ハウジングと第２ハウジングとに分割されるものに限定されるものではなく、１つのハウジングから構成される表示器でも本発明は適用可能である。
さらに、本発明では、ゲージ圧測定用の代わりに絶対圧測定用や差圧測定用の圧力センサの表示器としてもよい。そして、圧力センサの代わりに温度センサ等の検出装置にも本発明を利用することができる。
【産業上の利用可能性】
【００４４】
本発明は、圧力測定用、その他の物理量測定用の表示器に利用することができる。
【図面の簡単な説明】
【００４５】
【図１】本発明の第１実施形態にかかる表示器の斜視図。
【図２】前記表示器の正面図。
【図３】前記表示器の斜め後方からみた斜視図。
【図４】前記表示器の断面図。
【図５】前記表示器の分解斜視図。
【図６】表示回路基板の斜視図。
【図７】チップＬＥＤが設けられたプリント基板の斜視図。
【図８】図１とは組み立て方が異なる表示器の斜視図。
【図９】図１とは組み立て方が異なる表示器の斜視図。
【図１０】本発明の第２実施形態にかかる表示器の斜視図。
【図１１】チップＬＥＤが設けられたプリント基板の斜視図。
【符号の説明】
【００４６】
１…ホルダ、２…ケース、３…表示部、４…継手（接続部）、５…圧力センサ、９，９Ａ…モニタ表示部、２１…ケース本体（第２ハウジング）、２３…コネクタ、３４…カバー（第１ハウジング）、３６…パネルシート（数値表示面）、１０１…第１ハウジング、１０２…第２ハウジング、３２２…数値表示部、３２４…チップＬＥＤ、Ｐ…配管（被取付部）
【図１】
2010096599.tif 000003
【図２】
2010096599.tif 000004
【図３】
2010096599.tif 000005
【図４】
2010096599.tif 000006
【図５】
2010096599.tif 000007
【図６】
2010096599.tif 000008
【図７】
2010096599.tif 000009
【図８】
2010096599.tif 000010
【図９】
2010096599.tif 000011
【図１０】
2010096599.tif 000012
【図１１】
2010096599.tif 000013